(57)【要約】【目的】  カメラ用マウントの高強度化のため、マウントの取り付け手段を増やしても良好な組立性と外観性能を得られるカメラ用マウントを提供する。【構成】  不図示の撮影レンズのマウントと係合しカメラ本体にレンズを着脱自在に係止するカメラ用マウント１と、前記不図示の撮影レンズの鏡筒外装部分並びにマウント面に設けられ、撮影レンズをカメラ用マウント１に取り付ける際のカメラ側位置決め指標２と、前記不図示の撮影レンズを前記カメラ用マウント１へ取り付け開始時に撮影レンズの位置決め指標と相対する位置に設けられたマウント取り付けビス４を被うように接着されマウント面上において視認性に優れる色をもつカメラ側位置決め指標２で塞がれたマウント取り付けビス４およびカメラ本体へカメラ用マウント１を取り付けるための複数のマウント取り付けビス４を有する。【選択図】図１
2006030499.tif 000002
【特許請求の範囲】
【請求項１】
撮影レンズを着脱可能なカメラにおいて、前記撮影レンズのマウントと係合しカメラ本体にレンズを着脱自在に係止するカメラ用マウントと、前記撮影レンズの鏡筒外装部分並びにマウント面に設けられ、撮影レンズをカメラ用マウントに取り付ける際の位置決め用指標手段と、前記撮影レンズを前記カメラ用マウントへ取り付け開始時に撮影レンズの位置決め指標手段と相対する位置にカメラ側マウント指標を有するカメラ用マウントであって、該指標はカメラ本体へカメラ用マウントを取り付けるための複数のマウント取り付け手段の一つの取り付け穴に埋入されていることを特徴とするカメラ用マウント。
【請求項２】
前記マウント取り付け穴に埋入する指標は、赤色の樹脂素材であり且つ裏側に接着手段を有していることを特徴とする請求項１記載のカメラ用マウント。
【発明の詳細な説明】
【技術分野】
【０００１】
本発明は、レンズ交換式カメラのレンズ取り付けマウントに関するものである。
【背景技術】
【０００２】
従来、撮影レンズが交換可能な撮影レンズ交換式カメラ（例えば、レンズ交換式一眼レフレックスカメラ）においては撮影レンズをカメラ本体に装着する際に、カメラ用マウントのマウント面上に設けられたカメラ側取り付け指標と、撮影レンズのレンズ鏡筒外周並びにマウント面に設けられたレンズ側取り付け指標とを対向させて、カメラ本体に挿入し回動させることで、撮影レンズをカメラ本体に装着固定するバヨネット方式のカメラ用マウントが殆どであった。
【０００３】
上記バヨネット方式のカメラ用マウントには、カメラ用マウントをカメラ本体に取り付けるためのビス穴が同心円状に複数個形成され、撮影レンズマウントと当接する当接面であるマウント面が形成されている。マウント面には前述の撮影レンズをカメラ本体に装着する際に、マウント位置決め指標が円形凹形状で設けられており、円形凹部を光沢赤色などに塗装することでカメラ側取り付け指標の視認性を良くしている。
【０００４】
近年、レンズ交換式一眼レフカメラのデジタル化への変遷に伴いレンズ交換式デジタルカメラではマウント強度への要求が高まり、マウント取り付け手段の数を現在のものに対し増やすよう要求が出てきたが、新たに増設するマウント取り付け手段位置は既存の指標位置に併設せざるを得なくなり、外観が煩雑となるため好ましくないという問題があった。
【０００５】
この問題を解決するために、特開平１１−２９５７９８号公報では、他とは視認性を異ならせたマウント取り付け手段を指標と相対する位置に設け、具体的には、その頭を赤色に塗装してカメラ側取り付け指標を兼ねたビスであるという方法が提案されている。
【特許文献１】特開平１１−２９５７９８号公報
【発明の開示】
【発明が解決しようとする課題】
【０００６】
しかしながら、ビスの頭はその性質上組立の際傷がつきやすいという欠点があり、塗装剥がれによる外観不良の可能性があること、また組立の行程にて２種類のビスがあるため不便であり組立間違いを起こしかねない。更に、ビスの頭には深い溝穴があるため指標としての外観性そのものが良くない等の問題があった。
【０００７】
本発明は、カメラ用マウントの高強度化のため、マウントの取り付け手段を増やしても良好な組立性と外観性能を得られるカメラ用マウントを提供する。
【課題を解決するための手段】
【０００８】
本発明は、撮影レンズを着脱可能なカメラにおいて、前記撮影レンズのマウントと係合しカメラ本体にレンズを着脱自在に係止するカメラ用マウントと、前記撮影レンズの鏡筒外装部分並びにマウント面に設けられ、撮影レンズをカメラ用マウントに取り付ける際の位置決め用指標手段と、前記撮影レンズを前記カメラ用マウントへ取り付け開始時に撮影レンズの位置決め指標手段と相対する位置に赤色の樹脂素材であり且つ裏側に両面テープまたは固形接着剤を付着させたカメラ側マウント指標を有するカメラ用マウントであって、該指標はカメラ本体へカメラ用マウントを取り付けるための複数のマウント取り付け手段の一つの取り付け穴に埋入させた。
【発明の効果】
【０００９】
本発明のカメラ用マウントは、撮影レンズを着脱可能なカメラにおいて、前記撮影レンズのマウントと係合しカメラ本体にレンズを着脱自在に係止するカメラ用マウントと、前記撮影レンズの鏡筒外装部分並びにマウント面に設けられ、撮影レンズをカメラ用マウントに取り付ける際の位置決め用指標手段と、前記撮影レンズを前記カメラ用マウントへ取り付け開始時に撮影レンズの位置決め指標手段と相対する位置に赤色の樹脂素材であり且つ裏側に両面テープまたは固形接着剤を付着させたカメラ側マウント指標を有するカメラ用マウントであって、該指標はカメラ本体へカメラ用マウントを取り付けるための複数のマウント取り付け手段の一つの取り付け穴に埋入させたので、マウント取り付け手段であるビスが１種類のみとなり組立性が向上するほか、ビスの頭を隠すよう指標手段が取り付けられるため指標としての外観性が向上し、指標手段を接着させたマウント取り付け手段はその深さを他の複数のマウント取り付け手段と異ならせてあるため、指標手段のみが突出したように見えることが無い。
【発明を実施するための最良の形態】
【００１０】
以下、図面を参照して本発明の最も有効な実施形態を説明する。
【００１１】
図１は本発明によるカメラ用マウントのカメラマウント部の様子を示した外観図であり、図２は図１に示すカメラ用マウントのカメラ側位置決め指標部分の様子を示した断面図であり、図３は図１に示すカメラ用マウントのカメラ側位置決め指標部ではないマウント取り付け手段部分の様子を示した断面図である。
【００１２】
図１、図２及び図３において、１は不図示の撮影レンズのマウントと係合しカメラ本体にレンズを着脱自在に係止するためのカメラ用マウント、２は撮影レンズをカメラ本体に装着する際に、撮影レンズの鏡筒外装部分並びにマウント面に設けられた位置決め指標手段とを対向させて、カメラ本体に装着固定させるカメラ側位置決め指標、３はカメラ側位置決め指標２をマウント取り付けビス４のビス頭に接着させる両面接着テープまたは固形接着剤、４はカメラ本体にカメラ用マウント１を取り付けるマウント取り付けビス、５はカメラ用マウントをカメラ本体に取り付けるための同心円状に複数個形成されたビス穴を有するカメラボディである。
【００１３】
図１はカメラ正面から見たカメラ用マウント１とその上部付近や左側に設置された図示されていない撮影レンズをカメラ用マウント１に取り付ける際のカメラ側位置決め指標２とその他にカメラ用マウント１に複数配設されたマウント取り付けビス４を示している。カメラ側位置決め指標２は基準位置のビス穴１ａに埋入され且つ、その奥に、図２に図示されている後述するマウント取り付け手段であるマウント取り付けビス４が他のマウント取り付け手段であるマウント取り付けビス４よりも図面右側に向かって移動した位置に設置され、そのビス頭に同じく図２に図示されている後述する両面接着テープまたは固形接着剤３により接着されている。
【００１４】
図２は本発明によるカメラ側位置決め指標２の構造をより詳細に説明する断面図である。カメラ用マウント１にはマウント取り付けビス４の頭を納めるビス穴１ａとビスの座を受ける面１ｂとネジ部が貫通する穴１ｃからなるビス穴が複数個配置されている。このカメラ側位置決め指標２を有するビス穴は、ビスの座を受ける面１ｂの高さが図３で示されているカメラ側位置決め指標２を持たない複数のビス穴にあるビスの座を受ける面１ｂに対し、マウント取り付けビス４をカメラ側位置決め指標２と両面接着テープまたは固形接着剤３の厚さを加えた分だけ深くなるように設定されている。その結果カメラ側位置決め指標２を有するマウント取り付けビス４のビス頭は他のカメラ側位置決め指標２を持たない複数のマウント取り付けビス４のビス頭よりもマウント面１ｅに対し深くなっている。
【００１５】
図２に図示されているカメラ側位置決め指標２はカメラ用マウント面１ｅの正面側から観察されやすい外観を有するプラスチック製シートであり、その裏面には両面接着テープまたは固形接着剤３によりマウント取り付けビス４のビス頭に埋入してある。カメラ側位置決め指標２はビス穴１ａの内径よりも僅かに小さい外形を有する円形であり概穴をほぼ塞ぐものである。
【図面の簡単な説明】
【００１６】
【図１】本発明によるカメラ用マウントのカメラマウント部の様子を示した外観図である。
【図２】図１に示すカメラ用マウントのカメラ側位置決め指標部分の様子を示した断面図である
【図３】図１に示すカメラ用マウントのカメラ側位置決め指標部ではないマウント取り付け手段部分の様子を示した断面図である。
【符号の説明】
【００１７】
１  カメラ用マウント
２  カメラ側位置決め指標
３  両面接着テープまたは固形接着剤
４  マウント取り付けビス
５  カメラボディ
【図１】
2006030499.tif 000003
【図２】
2006030499.tif 000004
【図３】
2006030499.tif 000005